(57)【要約】      （修正有）【課題】直接に、即時に、混声して、和音伴奏のサウンドトラックを有する演奏音楽が得られ、画像が結合されてから、直接にコーデックされてネットワークを介して実況中継され、作製の簡単化や作製コストの低減及び独自作製の利点が得られるマルチメディア・プレイヤーを提供する。【解決手段】楽器ディジタルインタフェイス信号を生成する入力エージェンシー１（ＭＩＤＩキーボード）と、入力エージェンシーに電気接続されて、捕獲ユニット２１と出力ユニット２２、第一入力接点２３、第二入力接点２４及びシステムオンチップ２５を有し、システムオンチップに、捕獲ユニット、出力ユニット、第一及び第二入力接点が接続される撮影エージェンシー２（ネットワークカメラ）と、を含む。【選択図】図１
0003230335.tif 000002
【実用新案登録請求の範囲】
【請求項１】
楽器ディジタルインタフェイス信号を生成する入力エージェンシーと、
当該入力エージェンシーに電気接続されて、捕獲ユニットと出力ユニット、第一入力接点、第二入力接点及びシステムオンチップを有し、当該システムオンチップに、当該捕獲ユニット、当該出力ユニット、当該第一入力接点及び当該第二入力接点が接続される撮影エージェンシーと、が含まれる、
ことを特徴とするマルチメディア・プレイヤー。
【請求項２】
当該システムオンチップが、神経ネットワーク計算の専用ハードウェア・チップであり、人工知能応用をサポートでき、当該第一入力接点によって受信された楽器ディジタルインタフェイス信号を利用して、当該システムオンチップで、人工知能混声を生成して、自動的に音楽エディタを行い、また、当該捕獲ユニットによって撮影された画像信号と、当該第二入力接点によって受信された音声信号とに組合せて、音楽画面と画像を、一つのマルチメディアデータに結合する、ことを特徴とする、請求項１に記載されるマルチメディア・プレイヤー。て
【請求項３】
当該システムオンチップが、直接に当該マルチメディアデータをコーデックして、出力ユニットで、インターネットプロトコルおよび高解像度マルチメディアインタフェイスの少なくとも1つを介して、出力してプレイする、ことを特徴とする、請求項２に記載されるマルチメディア・プレイヤー。
【請求項４】
当該マルチメディアデータのフォーマットが、H.264ストリーミングまたはH.265ストリーミングである、ことを特徴とする、請求項２または請求項３に記載されるマルチメディア・プレイヤー。
【請求項５】
当該入力エージェンシーが、楽器ディジタルインタフェイスキーボードである、ことを特徴とする、請求項１に記載されるマルチメディア・プレイヤー。
【請求項６】
当該撮影エージェンシーが、ネットワークカメラである、ことを特徴とする、請求項１に記載されるマルチメディア・プレイヤー。
【請求項７】
当該捕獲ユニットが、人物、キーボード或いはその組合せの画像を捕獲可能である、ことを特徴とする、請求項１または請求項２に記載されるマルチメディア・プレイヤー。
【請求項８】
当該第一入力接点が、USBポートであって、当該入力エージェンシーが、当該USBポートに接続可能のコネクターを有する、ことを特徴とする、請求項１に記載されるマルチメディア・プレイヤー。
【請求項９】
当該第二入力接点に、集音可能のマイクが外付けられる、ことを特徴とする、請求項１に記載されるマルチメディア・プレイヤー。
【請求項１０】
当該マイクが、当該マルチメディア・プレイヤーの周囲の音声を捕獲する、ことを特徴とする、請求項９に記載されるマルチメディア・プレイヤー。
【請求項１１】
当該楽器ディジタルインタフェイス信号が、単旋律のメロディーであり、当該システムオンチップが、当該単旋律のメロディーに合わせて、対応するストリング・トーンを、伴奏として生成し、また、当該単旋律のメロディーに相応しい各種類の拍子および和音の一方または両方を生成して、音楽理論に従うサウンドトラックを形成し、自動的に楽曲を演奏する、ことを特徴とする、請求項１または請求項２に記載されるマルチメディア・プレイヤー。
【考案の詳細な説明】
【技術分野】
【０００１】
本考案は、マルチメディア・プレイヤーに関し、特に、音楽にマルチメディアカメラを結合するものに関し、そして、特に、直接且つ即時に混声して、和音伴奏のサウンドトラックを有する演奏音楽を形成でき、画像に結合して、直接にコーデック出力してプレイできるものに関する。
【背景技術】
【０００２】
インターネット世代の発展とともに、情報配信速度が、更に向上され、ネットワーク上のデータ送信も、早期の文字や音声から、近年の画像データに変換される。ネットワーク実況中継の普及やネットワークの視聴覚サービスも盛んに出現し、例えば、YouTube（登録商標）やVlog、Netflix或いはTwitch.TV等で、そして、FacebookやPiggy Bang等のソーシャル ネットワークも、ネットワークのビデオのアップロードやプレイの機能を提供する。
【０００３】
上記Webキャスティングは、ターミナルを介して、自分の視聴覚画像を、即時に、インターネットの全ての人々に観覧させることである。Webキャスティングは、インターネットの優勢を吸収でき、映像を利用して、生配信により、商品展示や関連会議、背景紹介、プログラム評価、インターネット調査、ダイアログインタビュー及びオンライン訓練等の内容が、現場から、インターネットに発表され、インターネットの直観や快速、良い表現形態、豊富な内容、優れたインタラクティビティ、地域制限なし及び区別可能の視聴者等の特徴によって、促進効果が強化される。
【０００４】
しかしながら、上記の応用には、使用上、単なる視聴覚データのストリーミングであり、その視聴覚データに対して、更にポストプロダクションを行うことができなく、視聴覚データをレコードし、フィールとして保存して、コンピュータにコーピしてから、視聴覚編集ソフトで、視聴覚データのポストプロダクションを行うため、適時性や便利性がよくない。
【０００５】
既存の視聴覚ストリーミングシステムや視聴覚ストリーミング方法は、直接にレコードしている視聴覚データを、ストリーミングを介して、コンピュータに送信して、直接に視聴覚データのポストプロダクションを行うことができない。そのため、YouTube（登録商標）を例とすれば、数少なくない映像アップローダーは、ストリーマーと自称するが、実に、それらのストリーマーは、ライフオンラインやストリーミング等の即時性方式で、映像内容を放送するものではなく、ポストプロダクションを行ったものを放送するため、ストリーマー（Streamer）でなく、YouTuber（YouTube（登録商標） 映像アップローダー）やゲーマー（Gamer）としか言えない。
【０００６】
そのため、如何に、自動的にネットワークレコードを行うとともに、即時にポストプロダクションを処理してプレイする方法を提供することは、本分野の研究課題である。一般の従来のものは、実用的とは言えない。
【０００７】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００８】
本考案の主な目的は、従来の上記問題を解消でき、音楽ライフマスターに、音楽に結合されるマルチメディアカメラを有し、直接に混声して、和音伴奏を有する演奏音楽のサウンドトラックを形成し、それから、画像に結合された後、直接にコーデックされて、YouTube（登録商標）に放送され、適時性と便利性の要求を満足でき、作製の簡単化や作製コストの低減且つ独自作製可能のマルチメディア・プレイヤーを提供する。
【課題を解決するための手段】
【０００９】
本考案は、上記の目的を達成するため、マルチメディア・プレイヤーであり、楽器ディジタルインタフェイス（Musical Instrument Digital Interface, MIDI）信号を生成する入力エージェンシーと、当該入力エージェンシーに電気接続されて、捕獲ユニットと出力ユニット、第一入力接点、第二入力接点及びシステムオンチップ（System-on-Chip, SoC）を有し、当該システムオンチップに、当該捕獲ユニットや当該出力ユニット、当該第一入力接点及び当該第二入力接点が接続される撮影エージェンシーと、が含まれ、当該システムオンチップは、神経ネットワーク計算の専用ハードウェア・チップであり、人工知能（artificial intelligence、AI）応用をサポートでき、当該第一入力接点によって受信されたMIDI信号を利用して、当該システムオンチップで、AI混声を生成して、自動的に音楽エディタを行い、また、当該捕獲ユニットによって撮影された画像（Video）信号と、当該第二入力接点によって受信された音声（Audio）信号とに組合せて、音楽画面と画像を、一つのマルチメディアデータに結合し、最後、直接に当該マルチメディアデータをコーデックして、当該出力ユニットで、インターネットプロトコル（Internet Protocol, IP）や高解像度マルチメディアインタフェイス（High Definition Multimedia Interface, HDMI（登録商標））を介して出力してプレイする。
【００１０】
本考案の実施例によれば、当該入力エージェンシーは、MIDIキーボードである。
【００１１】
本考案の実施例によれば、当該撮影エージェンシーは、ネットワークカメラ（IP Camera）である。
【００１２】
本考案の実施例によれば、当該捕獲ユニットは、人物やキーボード或いはその組合せの画像を捕獲可能である。
【００１３】
本考案の実施例によれば、当該第一入力接点は、USBポート（USB port）で、当該入力エージェンシーは、当該USBポートに接続可能のコネクターを有する。
【００１４】
本考案の実施例によれば、当該第二入力接点に、集音可能のマイクが外付けられる。
【００１５】
本考案の実施例によれば、当該マイクは、当該マルチメディア・プレイヤーの周囲の音声を捕獲する。
【００１６】
本考案の実施例によれば、当該MIDI信号は、単旋律のメロディーであり、当該システムオンチップは、当該単旋律のメロディーに合わせて、対応するストリング・トーンを、伴奏として生成し、また、当該単旋律のメロディーに相応しい各種類の拍子や音與を生成して、音楽理論に従うサウンドトラックを形成し、自動的に楽曲を演奏する。
【００１７】
本考案の実施例によれば、当該マルチメディアデータのフォーマットは、H.264ストリーミングやH.265ストリーミングである。
【００１８】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１９】
図１と図２は、それぞれ、本考案に係るマルチメディア・プレイヤーの構成概念図と、本考案に係る実況中継画面概念図である。図のように、本考案は、マルチメディア・プレイヤーであり、入力エージェンシー１と撮影エージェンシー２から構成される。
【００２０】
上記の入力エージェンシー１は、楽器ディジタルインタフェイス（Musical Instrument Digital Interface, MIDI）キーボードであり、MIDI信号を生成するコネクター１１がある。
【００２１】
当該撮影エージェンシー２は、当該入力エージェンシー１のネットワークカメラ（IP Camera）に電気接続され、捕獲ユニット２１と出力ユニット２２、第一入力接点２３、第二入力接点２４及び、当該捕獲ユニット２１と当該出力ユニット２２、当該第一入力接点２３及び当該第二入力接点２４が接続されるシステムオンチップ（System-on-Chip, SoC）２５と、が含まれ、また、当該第一入力接点２３が、USBポート（USB port）で、当該コネクター１１を介して、当該入力エージェンシー１に電気接続され、当該第二入力接点２４が、外付けの集音可能のマイク２６である。当該システムオンチップ２５は、神経ネットワーク計算の専用ハードウェア・チップであり、人工知能（artificial intelligence、AI）応用をサポートでき、当該第一入力接点２３によって受信されたMIDI信号を、当該システムオンチップ２５でAI混声を生成し、自動的に音楽エディタを行い、また、当該捕獲ユニット２１によって撮影された画像（Video）信号と当該第二入力接点２４によって受信された音声（Audio）信号とを組合せて、音楽画面と画像とを一つのマルチメディアデータに結合し、最後、直接に当該マルチメディアデータをコーデックして、当該出力ユニット２２で、インターネットプロトコル（Internet Protocol, IP）や高解像度マルチメディアインタフェイス（High Definition Multimedia Interface, HDMI（登録商標））に従って、出力してプレイする。上記のように、新規のマルチメディア・プレイヤーが実現される。
【００２２】
本考案によれば、ユーザーが、入力エージェンシー１で、一段のMIDI信号を挿入し、捕獲ユニットで、人物（例えば、ユーザー）やキーボード或いはその組合せの画像を撮影したり、また、外付けのマイク２６で、当該マルチメディア・プレイヤーの周囲の音声（例えば、ユーザーの音声信号）を捕獲したりしてから、そのMIDI信号を、システムオンチップ3519Aのコア・ボードで、AI混声を生成して、自動的に音楽エディタを行い、例えば、当該MIDI信号が、一段の単旋律のメロディーであり、当該システムオンチップ２５により、当該単旋律のメロディーに相応しいストリング・トーンを、伴奏として生成し、各種類の拍子や和音を発して、当該単旋律のメロディーに合わせて音楽理論に従うサウンドトラックを形成し、自動的に楽曲を演奏する。そのため、ユーザーが、一段の単旋律のメロディーを演奏するだけで、当該システムオンチップが、自動的に和音を与え、同時に、ユーザーの画像や音声を組み合わせて、音楽画面と画像とが結合され、フォーマットがH.264ストリーミングやH.265ストリーミングのマルチメディアデータが形成され、最後、直接に当該マルチメディアデータをコーデックして、出力ユニット２２で、IPやHDMI（登録商標）をYouTube（登録商標）に実況中継する。
【００２３】
上記のように、本考案は、ネットワークカメラと、当該ネットワークカメラに接続されるMIDIキーボードによって音楽が結合されるマルチメディアカメラとを利用して、音楽ライフマスターが、音楽室で、別のポストプロダクションを行わなくても、直接に、即時に、混声して、和音伴奏のサウンドトラックを有する演奏音楽が得られ、そして、画像が結合されてから、直接にコーデックされてYouTube（登録商標）に実況中継され足適時性や便利性のニーズを満足でき、作製の簡単化や作製コストの低減及び独自作製の利点が得られる。
【００２４】
上記のように、本考案は、マルチメディア・プレイヤーであり、有効的に従来の諸欠点を解消でき、ネットワークカメラと、当該ネットワークカメラに接続されるMIDIキーボードによって音楽が結合されるマルチメディアカメラとを利用して、音楽ライフマスターが、音楽室で、別のポストプロダクションを行わなくても、直接に、即時に、混声して、和音伴奏のサウンドトラックを有する演奏音楽が得られ、そして、画像が結合されてから、直接にコーデックされてYouTube（登録商標）に実況中継され足適時性や便利性のニーズを満足でき、作製の簡単化や作製コストの低減及び独自作製の利点が得られ、そのため、本考案は、より進歩的かつより実用的で、法に従って実用新案登録請求を出願する。以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２５】
【図１】本考案に係るマルチメディア・プレイヤーの構成概念図である。
【図２】本考案に係る実況中継画面概念図である。
【符号の説明】
【００２６】
１  入力エージェンシー
１１  コネクター
２  撮影エージェンシー
２１  捕獲ユニット
２２  出力ユニット
２３  第一入力接点
２４  第二入力接点
２５  システムオンチップ
２６  マイク
【図１】
0003230335.tif 000003
【図２】
0003230335.tif 000004
【手続補正書】
【提出日】令和2年11月6日(2020.11.6)
【手続補正１】
【補正対象書類名】実用新案登録請求の範囲
【補正対象項目名】全文
【補正方法】変更
【補正の内容】
【実用新案登録請求の範囲】
【請求項１】
楽器ディジタルインタフェイス信号を生成する入力エージェンシーと、
当該入力エージェンシーに電気接続されて、捕獲ユニットと出力ユニット、第一入力接点、第二入力接点及びシステムオンチップを有し、当該システムオンチップに、当該捕獲ユニット、当該出力ユニット、当該第一入力接点及び当該第二入力接点が接続される撮影エージェンシーと、が含まれる、
ことを特徴とするマルチメディア・プレイヤー。
【請求項２】
当該システムオンチップが、神経ネットワーク計算の専用ハードウェア・チップであり、人工知能応用をサポートでき、当該第一入力接点によって受信された楽器ディジタルインタフェイス信号を利用して、当該システムオンチップで、人工知能混声を生成して、自動的に音楽エディタを行い、また、当該捕獲ユニットによって撮影された画像信号と、当該第二入力接点によって受信された音声信号とに組合せて、音楽画面と画像を、一つのマルチメディアデータに結合する、ことを特徴とする、請求項１に記載されるマルチメディア・プレイヤー。
【請求項３】
当該システムオンチップが、直接に当該マルチメディアデータをコーデックして、出力ユニットで、インターネットプロトコルおよび高解像度マルチメディアインタフェイスの少なくとも1つを介して、出力してプレイする、ことを特徴とする、請求項２に記載されるマルチメディア・プレイヤー。
【請求項４】
当該マルチメディアデータのフォーマットが、H.264ストリーミングまたはH.265ストリーミングである、ことを特徴とする、請求項２または請求項３に記載されるマルチメディア・プレイヤー。
【請求項５】
当該入力エージェンシーが、楽器ディジタルインタフェイスキーボードである、ことを特徴とする、請求項１に記載されるマルチメディア・プレイヤー。
【請求項６】
当該撮影エージェンシーが、ネットワークカメラである、ことを特徴とする、請求項１に記載されるマルチメディア・プレイヤー。
【請求項７】
当該捕獲ユニットが、人物、キーボード或いはその組合せの画像を捕獲可能である、ことを特徴とする、請求項１または請求項２に記載されるマルチメディア・プレイヤー。
【請求項８】
当該第一入力接点が、USBポートであって、当該入力エージェンシーが、当該USBポートに接続可能のコネクターを有する、ことを特徴とする、請求項１に記載されるマルチメディア・プレイヤー。
【請求項９】
当該第二入力接点に、集音可能のマイクが外付けられる、ことを特徴とする、請求項１に記載されるマルチメディア・プレイヤー。
【請求項１０】
当該マイクが、当該マルチメディア・プレイヤーの周囲の音声を捕獲する、ことを特徴とする、請求項９に記載されるマルチメディア・プレイヤー。
【請求項１１】
当該楽器ディジタルインタフェイス信号が、単旋律のメロディーであり、当該システムオンチップが、当該単旋律のメロディーに合わせて、対応するストリング・トーンを、伴奏として生成し、また、当該単旋律のメロディーに相応しい各種類の拍子および和音の一方または両方を生成して、音楽理論に従うサウンドトラックを形成し、自動的に楽曲を演奏する、ことを特徴とする、請求項１または請求項２に記載されるマルチメディア・プレイヤー。